(57)【要約】【課題】冬季に凍結しそうな医療資器材の当該冬季における収容を可能にして医療行為の向上を図ることができる医療作業車を提供する。【解決手段】車体１２上に医療資器材を収容するための荷箱２が搭載された医療作業車１であって、荷箱２内は、適宜に区画された複数の収容室２１を有するとともに、各収容室２１は開閉扉２２によりそれぞれ個別に開閉自在に設けられ、さらに、少なくとも一つの収容室２１内には内部を所定温度に保持する保温庫３が設置され、保温庫３には開閉扉２２に面して保温庫用開閉扉３２が開閉自在に設けられるとともに、保温庫用開閉扉３２が脱着可能に設けられている。保温庫３は、別個独立に開閉自在な一対の断熱室３１からなっている。【選択図】  図１
2007253978.tif 000002
【特許請求の範囲】
【請求項１】
車体上に医療資器材を収容するための荷箱が搭載された医療作業車であって、
前記荷箱内は、適宜に区画された複数の収容室を有するとともに、各収容室は開閉扉によりそれぞれ個別に開閉自在に設けられ、さらに、少なくとも一つの収容室内には内部を所定温度に保持する保温庫が設置され、該保温庫には前記開閉扉に面して保温庫用開閉扉が開閉自在に設けられるとともに、当該保温庫用開閉扉が脱着可能に設けられたことを特徴とする医療作業車。
【請求項２】
前記保温庫は、別個独立に開閉自在な一対の断熱室からなることを特徴とする請求項１記載の医療作業車。
【発明の詳細な説明】
【技術分野】
【０００１】
本発明は、医療資器材を収容するための荷箱を搭載した医療作業車に関するものである。
【背景技術】
【０００２】
従来、車体上に搭載した荷箱を複数の収容室に分割してこれら各収容室内に医療資器材を収容するようにし、適宜な現場に駐車することによってその現場において医療資器材を提供する医療作業車が提供されている（例えば、特許文献１参照。）。
【特許文献１】特開昭６３−２８４０７０号公報
【発明の開示】
【発明が解決しようとする課題】
【０００３】
しかしながら、上記従来のものでは、医療資器材の提供を長期的に行う場合に冬季を迎えることもあり、この場合、寒冷地等では収容室内に収容している点滴などの液体の医薬品や飲料水などが凍結する恐れがあった。
【０００４】
このため、冬季になると凍結しそうな医療資器材を予め収容室内から取り出し、冬季が過ぎると再び当該医療資器材を収容する作業が必要で煩雑であるとともに、冬季では除去した医療資器材を提供することができずに医療行為の低下を招くという問題があった。
【０００５】
本発明は、上記問題点に鑑みてなされたもので、その目的とするところは、冬季に凍結しそうな医療資器材の当該冬季における収容を可能にして医療行為の向上を図ることができる医療作業車を提供することにある。
【課題を解決するための手段】
【０００６】
上記の目的を達成するため、請求項１に係る発明の医療作業車は、車体上に医療資器材を収容するための荷箱が搭載された医療作業車であって、前記荷箱内は、適宜に区画された複数の収容室を有するとともに、各収容室は開閉扉によりそれぞれ個別に開閉自在に設けられ、さらに、少なくとも一つの収容室内には内部を所定温度に保持する保温庫が設置され、該保温庫には前記開閉扉に面して保温庫用開閉扉が開閉自在に設けられるとともに、当該保温庫用開閉扉が脱着可能に設けられたものである。
【０００７】
請求項２に係る発明の医療作業車は、前記保温庫が別個独立に開閉自在な一対の断熱室からなるものである。
【発明の効果】
【０００８】
本発明によれば、冬季には凍結しそうな医療資器材を温度調整した断熱室に収容することによって、冬季においても当該医療資器材を提供することができ、医療行為の向上を図ることができるとともに、季節によって医療資器材を入れ換える必要もなくなる。
【発明を実施するための最良の形態】
【０００９】
以下、本発明の実施の形態について図面を参照して説明する。
【００１０】
図１及び図２は、本発明の医療作業車の全体構成を示している。
【００１１】
この医療作業車１は、運転席１１後方の車体１２上に荷箱２が搭載されている。荷箱２は、複数の収容室２１に区画されている。具体的には、図１及び図２に示す荷箱２では、左右に分割された収容室２１…が前後に３室配置されて計６室を備えている。
【００１２】
各収容室２１は、その側面に当該側面略全体が開閉する開閉扉２２が設けられている。開閉扉２２は、各収容室２１の床面高さと略同じ下端縁２１ａが図示しないヒンジによって支持されており、図示しないアクチュエータにより下端縁２１ａを中心にして側方に向かって上下に回動するように構成されている。また、開閉扉２２の内側面には、当該開閉扉２２が開放してその先端が接地した状態で階段として利用できる段状の階段部材２３が設けられており、利用者はこの階段部材２３を通じて医療資器材の出し入れを行うようになっている。
【００１３】
そして、荷箱２内を上述のようにして区画した各収容室２１のうち、最後部左右の収容室２１、２１には保温庫３が設置されている。
【００１４】
保温庫３は、図３及び図４に示すように左右２つの断熱室３１、３１に分割され、このように左右２つに分割した保温庫３を最後部の収容室２１、２１に設置している。つまり、実質的には保温庫３によって最後部左右の収容室２１、２１を左右に分割している。
【００１５】
各断熱室３１、３１には、保温手段４がそれぞれ設けられるとともに、前記開閉扉２２と対峙する車輌の側面となる面が保温庫用開閉扉３２（以下、単に開閉扉３２という）によって開閉自在になされている。開閉扉３２としては図５及び図６に示すようなヒンジ３３によって左右に開閉自在になされた観音開き式のものが採用されている。
【００１６】
この開閉扉３２は、ヒンジ３３を取付けているボルト３４を取外すことによって、脱着可能になされており、夏季などに保温庫３を使用しない場合には開閉扉３２を取外しておけるようにしている。このようにして開閉扉３２を取外しておけば、医療資器材の搬入出が容易に行え、緊急時などに迅速に対応することができる。
【００１７】
また、開閉扉３２は、図５及び図７に示すように当該開閉扉３２の内側に設けられたストッパ３２ａによって開放状態を保持できるようになっている。
【００１８】
そして、上述した左右の断熱室３１、３１は、図５に示すように中央の断熱パネル３５によって左右に区画されるとともに、開閉扉３２を含む周囲を断熱パネル（図５では後面の断熱パネルのみ図示している。）３５で囲繞することによって構成されている。
【００１９】
保温手段４は、図４及び図８に示すように、ヒータ４１、このヒータ４１に付属する各部材、並びにヒータ４１で暖められた空気を対流させるダクト部５（図５参照）を備えている。
【００２０】
ヒータ４１は、各断熱室３１の前後面下部に配設されており、熱源となるヒータ本体４１ａと、このヒータ本体４１ａの外側面に連設したヒータパネル４２とで構成され、ヒータ本体４１ａで発生した熱をヒータパネル４２で伝熱して外部に放熱するようになっている。
【００２１】
このヒータ本体４１ａの内側面には、カバーパネル４３が設けられており、ヒータ本体４１ａはカバーパネル４３とヒータパネル４２とで挟まれた状態で配置されている。
【００２２】
前記ダクト部５は、図５に示すように前記断熱パネル３４の内側に形成された空間部を利用して構成されており、このダクト部５を通じて前後のヒータ４１が連通され、各ヒータ本体４１ａの下方に設けられたＡＣファン４４によってヒータ４１で加熱された空気がダクト部５内で対流するようになっている。
【００２３】
さらに、保温手段４には、サーモスタットの温度検出部４５、各断熱室３１内の温度を検出する温度検出部４６の他、図９に示すような制御盤６が設けられている。
【００２４】
制御盤６には、電源スイッチ６１、操作スイッチ６２、マグネットコネクタ６３、断熱室３１内の温度を表示する温度表示部６４などが設けられている。
【００２５】
この制御盤６は、操作スイッチ６２の操作によって温度検出部４６からの検出温度に基づいてヒータ本体４１ａを通じて各断熱室３１内の温度をそれぞれ所望の温度に調整するとともに、サーモスタットの温度検出部４５からの検出温度に基づいてヒータ本体４１ａの異常加熱を検出することによって各断熱室３１内における異常加熱の発生を防止するようにしている。
【００２６】
また、マグネットコネクタ６３は、通電による電磁石の作用によって施設側に接続された電源コネクタを吸着することによって当該施設側から電源ケーブルを介して電源を確保するようになっている。このマグネットコネクタ６３は、車輌エンジンの始動によって通電が解除されて上記電源コネクタを自動的には離脱させるように構成されており、車輌の移動時において電源ケーブルなどの切断による損傷の発生を防止するようにしている。なお、電源としては例えば車輌に発電機を搭載しておき、この発電機を利用するようにしてもよい。
【００２７】
さらに、各断熱室３１には、適数段の棚板７が設けられており、この棚板７を利用することで医療資器材を効率良く収容することができる。棚板７の裏面には図１０に示すように複数の係止孔を有するラッシングレール７１が設けられるとともに、断熱室３１の奥行き側となり当該断熱室３１を左右に区画する断熱パネル３４にもラッシングレール７１が設けられている。従って、これらラッシングレール７１の係止孔を利用して医療資器材を固定することで、棚板７上の設置スペースを犠牲にすることなく医療資器材を安定的に固定することができる。
【００２８】
上記棚板７及びラッシングレール７１は、必要に応じて他の収容室２１にも適宜に設けられている。
【００２９】
各断熱室３１の底面にはドレンパン８が敷設されており、このドレンパン８によって室内で結露した水を集めて図示しない排水口から外部に排水するようにしている。
【００３０】
このようにして医療作業車を構成したことによって、冬季には凍結しそうな医療資器材を温度調整した断熱室３１に収容することによって、冬季においても当該医療資器材を提供することができ、医療行為の向上を図ることができるとともに、季節によって医療資器材を入れ換える必要もなくなる。
【００３１】
また、左右一対の断熱室３１が独立した状態で開閉できるので、一方の断熱室３１の開閉扉３２の開放による室内の温度変化の影響を他方の断熱室３１に与えることがなく、温度管理を良好に行うことができる。
【００３２】
なお、上述した実施形態は、あくまでも本発明の好適な実施態様を示すものであって、本発明はこれに限定されることなく、その範囲内において種々設計変更可能である。
【００３３】
例えば、保温庫３の断熱室３１は本例のように左右一対に限らず、必要に応じて適数室を設けるようにすればよい。
【図面の簡単な説明】
【００３４】
【図１】本発明の医療作業車の全体構成を示す側面図である。
【図２】本発明の医療作業車の全体構成を示す背面図である。
【図３】保温庫を示す車輌の側面から見た図である。
【図４】保温庫を示す車輌の背面から見た図である。
【図５】保温庫を示す断面図である。
【図６】保温庫の開閉扉を示す車輌の側面から見た図である。
【図７】保温庫の開閉扉を示す斜視図である。
【図８】保温庫示す斜視図である。
【図９】制御盤を示す正面図である。
【図１０】棚板を示す裏面図である。
【符号の説明】
【００３５】
１  医療作業車
１２  車体
２  荷箱
２１  収容室
２２  開閉扉
３  保温庫
３１  断熱室
３２  開閉扉（保温庫用開閉扉）
【図１】
2007253978.tif 000003
【図２】
2007253978.tif 000004
【図３】
2007253978.tif 000005
【図４】
2007253978.tif 000006
【図５】
2007253978.tif 000007
【図６】
2007253978.tif 000008
【図７】
2007253978.tif 000009
【図８】
2007253978.tif 000010
【図９】
2007253978.tif 000011
【図１０】
2007253978.tif 000012